(57)【要約】【課題】誰にでも簡単に操作でき、携帯性、スポーツ性、ファッション性を兼ね備えた、新しい概念の移動手段を提供する。【解決手段】搭乗者を支持する車両本体と、車両本体の前部先端に、舵様に回転する機構をもちキャスター角を設けたステアリング部、その下端にオフセットを設けた前輪をもち、前記車両本体の後部先端にブレーキ機構を設けた後輪をもつことにより、軸足を本体に載せ、もう片方の足で地面をキックすることで前進し、体重移動により方向転換でき、ブレーキ機構によって減速・停止でき、かつ前記ステアリング部と前記車両本体間にスタビライザーを設けることにより、直進性をアップし、調整可能にし、また少なくとも片方の足を本体に固定もしくは半固定するバインディング及び後ろ足を乗せるフットレストを備えることにより、操作が簡単になり、また高度なトリックをも可能にし、車両本体を折りたたむ機構を備えることで携帯を可能にする。【選択図】　図１
2004065709.tif 000002
【特許請求の範囲】
【請求項１】
車両本体と、前記車両本体の前部に舵様に回転する機構でもって接続されたステアリング部と、　前記ステアリング部の下端に接続された前輪と、前記車両本体の後部に接続された後輪を有し、直進時の前輪及び後輪の軌道が一直線上にあるスケートボードであって、前記ステアリング部はその下端が上端より前方に来るようなキャスター角をもつことを特徴とする、スケートボード。
【請求項２】
請求項１において、前記前輪の回転軸が前記ステアリング部の回転軸より前方へのずれを有する、スケートボード。
【請求項３】
請求項１において、ステアリング部と車両本体の間に伸縮性のある材料もしくはスプリング状の材料を使用したスタビライザーを備えたスケートボード。
【請求項４】
請求項１において、前記車両本体が蝶番を介して前後に複数の部分に分かれ、その蝶番を中心に前後の部品を重ね合わせるように折りたたむことを可能にしたスケートボード。
【請求項５】
請求項１において、搭乗者の少なくとも片方の足を前記車両本体に接続するためのバインディング装置を備えたスケートボード。
【請求項６】
請求項１において、前記車両本体以外に足を乗せるためのフットレストを備えたスケートボード。
【請求項７】
請求項３において、蝶番の回転軸を押し込むことでロックを解除し、折りたたみや元に戻す動作をしたあと回転軸が戻ることでロックされ、その状態が固定される機構を備えたスケートボード。
【請求項８】
請求項１において、前記車両本体の後部にブレーキ機構を備えたスケートボード。
【発明の詳細な説明】
【０００１】
【発明の属する技術分野】
この発明は、スケートボードに関し、詳しくは人が片足で搭乗し、他の片足で路面をキックすることにより駆動力を得て走行可能であり、走行後は簡単に折畳み、どこへでも自由に携帯できる、直進時の前後輪の軌道が一直線上にあるスケートボード（インラインスケートボード）に関するものである。
【０００２】
【従来の技術】
短距離用の簡易な移動手段としては、従来から自転車が広く利用されている。
近年では、自転車に変わる携帯可能で簡易な移動手段として、二輪、三輪のキックスケーターや四輪スケートボードが利用されることも多くなった。また、前後に一輪ずつの車輪を有し、前輪軸の前方にステアリング軸を備えたハンドルのないインラインスケートボードも出現した。その具体例としては特許公開２００１−１７８８６４，　特許公開２００２−１１３１４５，　特許公表２００２−５０００８３がある。
【０００３】
【発明が解決しようとする課題】
しかしながら、このようなキックスケーターや四輪スケートボードは携帯可能とはいえ、キックスケーターはハンドルを、四輪スケートボードは四輪をそれぞれ有するため、かばんに入れて持ち運べるほどではない。
従来のインラインスケートボードも、前輪軸より前方にステアリング軸があるため、ステアリング軸までのアームの分だけ大型・重量になり、車両が前輪後輪間の距離よりも長くなってしまい、携帯性に優れないという欠点があった。また、安定性に優れず、乗りこなすのが難しく、安全性に欠けるという欠点もあった。このため、老若男女を問わず、誰でも簡単に操作できて、ファッション性、スポ−ツ性を兼ね備え、どこへでも簡単に携帯して安全に使用できる新しい概念の移動手段の実現が望まれていた。
【０００４】
【課題を解決するための手段】
本願発明は、上述の背景の下になされたもので、車両本体と、前記車両本体の前部に舵様に回転する機構でもって接続されたステアリング部と、　前記ステアリング部の下端に接続された前輪と、前記車両本体の後部に接続された後輪を有し、直進時の前輪及び後輪の軌道が一直線上にあるスケートボードであって、前記ステアリング部はその下端が上端より前方に来るようなキャスター角をもつため、搭乗者の体重移動によって左右に方向転換が可能であり、かつ車両本体が前輪・後輪間の距離よりも短く、従来のものより小型・軽量なスケートボードを実現する。
前記前輪が前記ステアリング部の回転軸より前方へのずれを有することにより、搭乗時の安定性が増す。
また、ステアリング部と車両本体の間に伸縮性のある材料もしくはスプリング状の材料を使用したスタビライザーを備えることにより安定性を増し、これを調節できる。
搭乗者の少なくとも片方の足を前記車両本体に接続するためのバインディング装置を備え、前記車両本体以外に足を乗せるためのフットレストを備えることで、乗りこなすことが簡単になる。
前記車両本体の後部にブレーキ機構を備えることで、安全性が向上する。
さらに、前記車両本体が蝶番を介して前後に複数の部分に分かれ、その蝶番を中心に前後の部品を重ね合わせるように折りたたむことことで、かばんに入るほどの携帯性を実現する。この蝶番は回転軸を押し込むことでロックを解除し、折りたたみや元に戻す動作をしたあと回転軸が戻ることでロックされ、その状態が固定される機構を備えることで誤動作を防ぐ。
【０００５】
【発明の実施の形態】
以下、この発明に係るスケートボードにつき、その実施の形態を添付図面に基づいて説明する。
【０００６】
添付図面において、図１は、本発明に係るスケートボードの使用時の形態を表す側面図であり、図２は、同じく平面図であり、図３は、その裏から見た平面図であり、図４は折りたたんだ携帯時の状態を示す側面図であり、図５は、バインディングの側面図である。さらに、図６は、前輪部の側面詳細図、図７は蝶番部分を裏から見た模式図、図８はロック解除時の蝶番部分を裏から見た模式図、図９は蝶番の軸の断面図、図１０はその側面図である。
【０００７】
本発明に係るスケートボードは、車両中央部１と、前胴部２−ａ、前輪アーム２−ｂ、前胴部蝶番軸２−ｃからなる前部２と、後胴部３−ａ、後輪アーム３−ｂ、後胴部蝶番軸３−ｃ、後輪ブレーキ機構３−ｄ、フットレスト３−ｅからなる後部３と、ステアリング軸４−ａ、前輪受け４−ｂからなるステアリング部４と、前輪５−ａ、前輪軸５−ｂからなる前輪部５と、後輪６−ａ、後輪軸６−ｂからなる後輪部６と、スタビライザー７−ａおよび７−ｂと、バンド８−ａ、フック８−ｂからなるバインディング８の各部分により構成されている。車輪は前後１輪ずつであることが望ましいが、縦に複数の車輪をならべることもできる。
【０００８】
図において、１は搭乗者を支持する車両中央部であり、前部２、後部３とともに搭乗者が足を乗せる車両本体１０である。折りたたみ機構を設けない場合、車両中央部１、前部、後部３は一体化するので車両本体１０とする。
【０００９】
図６のようにステアリング軸４−ａは前輪アーム２−ｂに対しＡ’を回転軸として回転できる機構を介して接続し、ステアリング軸４−ａの回転軸Ａ’は地面Ｌへの垂線Ｔに対し上部が後方へくるような１度乃至４０度のキャスター角（∠Ａ’Ｔ）を有する。この角を有することで、搭乗者の体重移動によりステアリング部４が進行方向に舵を取り、方向転換することが可能になる。
ステアリング軸４−ａと前輪アーム２−ｂの接点は回転をスムーズにするためにボールベアリング機構をもつものであっても良い。
【００１０】
前輪５−ａ及び後輪６−ａは、それぞれ前輪軸５−ｂ及び後輪軸６−ｂを軸として回転可能に取り付けられており、乗車時の騒音と振動を軽減させるため、前輪軸５−ｂ及び後輪軸６−ｂとの接点部を除き主にゴム及びプラスチックの素材を使用することが望ましく、前輪軸５−ｂ及び後輪軸６−ｂとの接点部は回転をスムーズにするための金属製ボールベアリングを使用することもできる。
また、この実施形態では、各車輪は樹脂製の履帯が使用されていて空気は充填されていないが、通常の自転車と同様に空気チュ−ブを使えば走行性、乗り心地ともに向上する。
また、前輪５−ａ及び後輪６−ａ以外の部分に、サスペンション機能を設けたり、弾力性のある素材を用いることで走行性、乗り心地を向上させることもできる。
【００１１】
図６のように前輪軸５−ｂの中心線はステアリング軸４−ａの中心線Ａ’より前方にあり、前輪軸５−ｂの回転軸とステアリング軸４−ａの回転軸Ａ’の最短距離（オフセット）ＡＡ’は１ｍｍ乃至５ｃｍである。
このオフセットにより、直進性、安定性が増す。
【００１２】
前輪受け４−ｂと前輪アーム２−ｂの両側面にそれぞれスタビライザー７−ａ及び７−ｂが張られ、それらはある程度の緊張状態にあることで前輪５−ａを常に前方へ向けるように働きかけ、安定性が増す。材質は伸縮性のあるゴム又は金属製スプリングであることが望ましい。
また前記スタビライザー７−ａ及び７−ｂの強度や張力を変えることで直進性を調節できる。
スタビライザーは１本であっても、また３本以上であっても同じ機能を果たすものであればよい。
【００１３】
前輪アーム２−ｂと前胴部２−ａ、また後輪アーム３−ｂと後胴部３−ａはそれぞれ溶接などの手段により接着されていることが望ましい。もしくは一体化されて一つの部品であっても良い。
【００１４】
車両中央部１は、乗車時の安定性を得るために１０ｃｍ乃至１００ｃｍほどの長さを持ち、バインディングのボタン８−ｂをかけるためのバインディング穴１−ｃを設ける。バインディングをオプションでつけない場合、またはその他の形態のバインディングを装着する場合はバインディング穴はなくても良い。また、安定性確保のために手で持つための紐を車両本体につけてもよい。
【００１５】
図５のように、バインディングは８−ｂのボタンと８−ａのバンドにより構成されていて、ボードに軸足を接続するためのオプションである。靴の土踏まず部分に巻くことで軸足を接続し、これを使うことで初心者にも扱いやすく、またジャンプして障害物を飛び越えるなどのトリックが可能になる。
ボタン８−ｂは服のボタン状になっていてバインディング穴１−ｃに通すことで引っ張っても抜けなくなる。ボタン状であるため、装着したままのバインディング穴１−ｃを中心としたバインディング８の回転は可能であることが望ましい。
バンド８−ａは幅３センチ程度の布・軟化プラスチック、ゴムなどの素材でできていて、両端部にはマジックテープ（登録商標）があり、それによってきつくもゆるくもとめることができることが望ましい。
【００１６】
図３のように収納時に前輪５−ａと後輪６−ａが車両中央部１に食い込む形で折り畳めるのが望ましい。そのために前輪５−ａと後輪６−ａの一部が食い込むためのえぐれ１−ａ、１−ｂが車両中央部１に設けられることが望ましい。前輪５−ａと後輪６−ａが車両中央部１に食い込まない形で折り畳む場合はえぐれ１−ａ、１−ｂはなくても良い。
【００１７】
前胴部２−ａと車両中央部１および後胴部３−ａと車両中央部１の間の蝶番部は図７のようになっていることが望ましい。
図７は前胴部２−ａ（または後胴部３−ａ）と車両中央部１との間の蝶番部を裏から見た模式図であり、図８は前胴部蝶番軸２−ｃ（または後胴部蝶番軸３−ｃ）の端を押し込むことでロックが解除された状態になった時の同じく模式図である。
以下に前胴部２−ａと車両本体１との間の機構について記述する。
後胴部３−ａと車両本体１との間の蝶番部については、これと同様の機構になるため省略する。
【００１８】
図７のように、前胴部蝶番軸２−ｃは断面が円状の部分と正方形状の部分をもつ棒状の部品である。
前胴部２−ａ、及び車両中央部１における、蝶番軸の穴は、蝶番軸２−ｃが通るほどの正方形状をしていて、組み立て時は前胴部蝶番軸２−ｃを前胴部２−ａ及び車両本体１の穴とスプリング９−ｂに通し、あとからワッシャー９−ａをはめて抜けないようにする。
【００１９】
通常使用時（図１）及び携帯時（図３）は前胴部蝶番軸２−ｃの正方形状の部分が前胴部２−ａ，車両本体１それぞれの穴（正方形状）にかみ合っているため蝶番はロックされて自在に動かないが、前胴部蝶番軸２−ｃの、外に出ている丸状の端を押し込むことにより、前胴部２−ａの穴に通っている前胴部蝶番軸２−ｃの形状が円状の部分だけになり、ロックが解除され蝶番を開閉できる。
【００２０】
ブレーキ機構３−ｄを踏むことによってブレーキ機構３−ｄと後輪６−ａとの間に摩擦が生じ、ブレーキがかかる機構を持つ。また足を離すことによってスプリングにより元の位置に戻り、ブレーキが解除される。これによって安全性が向上する。その他のブレーキ機構であっても、同様の機能を持つものであればよい。
【００２１】
フットレスト３−ｅは、後ろ足を載せるためのオプションで、後輪軸６−ｂまたは後輪アーム３−ｂ上に設けられた回転軸を中心として回転できる機構をもち、折りたたみの際には邪魔にならない角度に動かすことができる。使用時には、後輪アーム３−ｂと接する方の端が内側に曲がっていてストッパーとなるため、図１のように一定の角度より下には動かない。
このフットレストを使うことによって搭乗が容易になり、また様々な技が可能になる。
【００２２】
【発明の効果】
以上説明したように、この発明のインラインスケートボードによれば、ハンドルがなく、体重移動によって方向転換でき、車両が小型かつ軽量であり、折り畳み時の形態が小さいため、かばんに入れて携帯し、出先での移動手段として利用することが可能である。
またスタビライザーやバインディングやフットレストを使用することで少しの練習で乗りこなすことが可能である。
スポーツ用器具としても最適であり、バインディングやフットレストを使用することで障害物を飛び越えるなどの競技にも利用可能である。
以上のような利点を有し、特にストリ−トスポ−ツという新たな分野に新風を呈するものである。
【図面の簡単な説明】
【図１】発明の一実施形態に係るスケートボードの側面図である。
【図２】同スケートボードの平面図である。
【図３】同スケートボードの裏から見た平面図である。
【図４】同スケートボードの折畳み状態を示す側面図である。
【図５】バインディングの断面図である。
【図６】前輪５及びステアリング部４の地面に対する角度を示す一部切欠側面図である。
【図７】前胴部２−ａと車両本体１の間の蝶番機構を示す裏から見た平面図である。後胴部３−ａと車両本体１の間の蝶番機構に関しては、同様の図になるため省略している。
【図８】前胴部２−ａと車両本体１の間のロック解除時の蝶番機構を示す裏から見た平面図である。後胴部３−ａと車両本体１の間の蝶番機構に関しては、同様の図になるため省略している。
【図９】前胴部蝶番軸２−ｃの断面図である。（後胴部蝶番軸３−ｃも同様）
【図１０】前胴部蝶番軸２−ｃの側面図である。（後胴部蝶番軸３−ｃも同様）
【符号の説明】
１　車両中央部
１−ａ　くぼみ（前）
１−ｂ　くぼみ（後ろ）
１−ｃ　バインディング穴
２　前部
２−ａ　前胴部
２−ｂ　前輪アーム
２−ｃ　前胴部蝶番軸
３　後部
３−ａ　後胴部
３−ｂ　後輪アーム
３−ｃ　後胴部蝶番軸
３−ｄ　ブレーキ機構
４　ステアリング部
４−ａ　ステアリング軸
４−ｂ　前輪受け
５　前輪部
５−ａ　前輪
５−ｂ　前輪軸
６　後輪舞
６−ａ　後輪
６−ｂ　後輪軸
７　スタビライザー
７−ａ　左スタビライザー
７−ｂ　右スタビライザー
８　バインディング
８−ａ　ベルト
８−ｂ　ボタン
９−ａ　ワッシャー
９−ｂ　スプリング
１０　車両本体
【図１】
2004065709.tif 000003
【図２】
2004065709.tif 000004
【図３】
2004065709.tif 000005
【図４】
2004065709.tif 000006
【図５】
2004065709.tif 000007
【図６】
2004065709.tif 000008
【図７】
2004065709.tif 000009
【図８】
2004065709.tif 000010
【図９】
2004065709.tif 000011
【図１０】
2004065709.tif 000012
【手続補正書】
【提出日】平成15年1月24日(2003.1.24)
【手続補正１】
【補正対象書類名】明細書
【補正対象項目名】特許請求の範囲
【補正方法】変更
【補正の内容】
【特許請求の範囲】
【請求項１】
車両本体と、前記車両本体の前部に舵様に回転するように接続されたステアリング部と、回転軸が前記ステアリング部の下端に接続された前輪と、回転軸が前記車両本体の後部に接続された後輪とを有し、直進時の前輪及び後輪の軌道が一直線上にある、ハンドルを有さないスケートボードであって、前記ステアリング部の回転軸は垂直方向より後方へ傾くキャスター角をもち、前記前輪の回転軸は前記ステアリング部の回転軸上もしくはそれより前方に配置され、さらにステアリング部と車両本体との間に伸縮性のある材料もしくはスプリングで成るスタビライザーが外部に露出して張られたことを特徴とする、スケートボード。
【請求項２】
請求項１において、前記車両本体が蝶番を介して前後に複数の部分に分かれ、その蝶番を中心に前後の部分を重ね合わせるように折りたたむことを可能にしたスケートボード。
【請求項３】
請求項１において、搭乗者の少なくとも片方の足を前記車両本体に接続するためのバインディング装置を備えたスケートボード。
【請求項４】
請求項１において、前記車両本体以外に足を乗せるためのフットレストを備えたスケートボード。
【請求項５】
請求項１において、前輪および後輪が一輪ずつであるスケートボード。
【請求項６】
請求項２において、蝶番の回転軸を押し込むことでロックを解除し、折りたたみや元に戻す動作をしたあと回転軸が戻ることでロックされ、その状態が固定される機構を備えたスケートボード。
【請求項７】
請求項１において、前記車両本体の後部にブレーキ機構を備えたスケートボード。
【手続補正書】
【提出日】平成15年5月29日(2003.5.29)
【手続補正１】
【補正対象書類名】明細書
【補正対象項目名】特許請求の範囲
【補正方法】変更
【補正の内容】
【特許請求の範囲】
【請求項１】
車両本体と、前記車両本体の前部に舵様に回転するように接続されたステアリング部と、　回転軸が前記ステアリング部の下端に接続された前輪と、回転軸が前記車両本体の後部に接続された後輪とを有し、直進時の前輪及び後輪の軌道が一直線上にある、ハンドルを有さないスケートボードであって、前記ステアリング部の回転軸はその上方が垂直方向より後方へ傾くキャスター角をもち、前記前輪の回転軸は前記ステアリング部の回転軸より前方に配置され、さらにステアリング部と車両本体との間に伸縮性のある材料もしくはスプリングで成るスタビライザーが張力調節可能に張られたことを特徴とする、スケートボード。